(57)【要約】【課題】既存の住宅でも安価に設置でき、大きな地震に対して居住者の安全を確保できる防災装置を提供すること。【解決手段】左右対称の一対の側面枠２Ａ、２Ｂと、これらの側面枠２Ａ，２Ｂの上端に取り付けられる天面枠３と、前記一対の側面枠２Ａ、２Ｂの下端に取り付けられる一対のベース枠４Ａ、４Ｂと、天面枠３とベース枠４Ａ、４Ｂとを連結する一対の中間柱５Ａ、５Ｂとで、家屋内の寝室等に設置される鉄骨製の防災装置１を構成し、布団やベッド等の寝具を収容できるスペースを形成している。【選択図】図１
2010018944.tif 000002
【特許請求の範囲】
【請求項１】
左右対称の一対の側面枠と、これらの側面枠の上端に取り付けられる天面枠と、前記一対の側面枠の下端に取り付けられる一対のベース枠と、前記天面枠と一対のベース枠とを連結する一対の中間柱とで寝具を収容できるスペースを形成したことを特徴とする防災装置。
【請求項２】
左右対称の一対の側面枠と、これらの側面枠の上端に取り付けられる天面枠と、前記一対の側面枠の下側中間部に取り付けられ、かつ、前記天面枠と同一部材からなる床面枠と、前記天面枠と床面枠とを連結する一対の中間柱とを有し、前記床面枠に寝具を設置できるようにしたことを特徴とする防災装置。
【請求項３】
天面枠にはネットが取り付けられていることを特徴とする請求項１又は請求項２に記載の防災装置。
【発明の詳細な説明】
【技術分野】
【０００１】
本発明は、大きな地震により家屋が倒壊したり、家具が倒れた際に就寝中の居住者を保護できるようにした防災装置に関する。
【背景技術】
【０００２】
従来のこの種の防災装置は、木造の家屋内に鉄骨で組み立てた耐震ルームを形成し、大きな地震があったときに、居住者がそこへ逃げ込むことにより居住者の安全を確保できるようにしたものが知られている（例えば、特許文献１参照）。
【特許文献１】特許第３１９０６１６号公報
【発明の開示】
【発明が解決しようとする課題】
【０００３】
上述した耐震ルームは専門業者による工事を必要とするため、高価になるとともに、既設の住宅には設置が難しいという問題があった。
【０００４】
そこで本発明は、上述した問題点に鑑み、既存の住宅でも安価に設置でき、大きな地震に対して居住者の安全を確保できる防災装置を提供することを目的とする。
【課題を解決するための手段】
【０００５】
このため第１の発明は、左右対称の一対の側面枠と、これらの側面枠の上端に取り付けられる天面枠と、前記一対の側面枠の下端に取り付けられる一対のベース枠と、前記天面枠と一対のベース枠とを連結する一対の中間柱とで寝具を収容できるスペースを形成したことを特徴とする。
【０００６】
第２の発明は、左右対称の一対の側面枠と、これらの側面枠の上端に取り付けられる天面枠と、前記一対の側面枠の下側中間部に取り付けられ、かつ、前記天面枠と同一部材からなる床面枠と、前記天面枠と床面枠とを連結する一対の中間柱とを有し、前記床面枠に寝具を設置できるようにしたことを特徴とする。
【０００７】
第３の発明は、第１又は第２の発明において、天面枠にはネットが取り付けられていることを特徴とする。
【発明の効果】
【０００８】
本発明によれば、既存の住宅でも、床面から天井までの空間にこの防災装置を設置することにより、大きな地震の発生時に家屋の倒壊、家具の転倒、天井崩落などがあっても防災装置を構成する天面枠、側面枠及び中間柱によってこれらを受け止め、防災装置の中に空間が確保されるため、中にいる居住者を保護でき、防災装置の中にベッドや布団等の寝具を入れたり、寝具を設置できるので、防災装置の中で安心して就寝することができる。また、天面枠にネットが取り付けられたものでは、天面枠から破片が飛び込むのも防止でき、一層安全である。
【０００９】
また、周囲が枠体で構成されているため、防災装置の空間内で安全な方向を見極めてから外へ脱出することができ、しかも、左右の側面板、天面枠と床面枠、一対の中間柱など、部品が共通化されているため、防災装置を安価に量産することができる。
【発明を実施するための最良の形態】
【００１０】
以下、本発明の防災装置を実施するための最良の形態について、図面を参照しながら説明する。先ず、第１の実施形態を示す図１及び図２において、１は家屋内の寝室等に設置される鉄骨製の防災装置であり、左右対称の一対の側面枠２Ａ、２Ｂと、これらの側面枠２Ａ，２Ｂの上端に取り付けられる天面枠３と、前記一対の側面枠２Ａ、２Ｂの下端に取り付けられる一対のベース枠４Ａ、４Ｂと、天面枠３とベース枠４Ａ、４Ｂとを連結する一対の中間柱５Ａ、５Ｂとで布団やベッド等の寝具を収容できるスペースを形成している。
【００１１】
前記側面枠２Ａ，２Ｂは同一部材であり、左右対称に配置されている。そして、各側面枠２Ａ，２Ｂは上端部に取付け枠６ａ、下端部に取付け枠６ｂを有する左右一対の縦枠６と、これら左右一対の縦枠６を連結する上下２本の横桟７と、２本の横桟７を連結する側面視Ｈ字状の補強桟８と、上の横桟７に取り付けられたアーチ状の補強桟９とで構成されている。
【００１２】
前記天面枠３は一対の横枠１０と、これらを連結する４本の横桟１１とからなり、天面枠３の上部には直径３ミリの金属棒を５０平方ミリメートルの網状にした金属ネット１２が溶接により取り付けられている。前記中間柱５Ａ、５Ｂの上下端部にはＬ型の取付け片５ａ、５ｂが設けられている。
【００１３】
これらの左右対称の一対の側面枠２Ａ、２Ｂと、天面枠３と、一対のベース枠４Ａ、４Ｂと、中間柱５Ａ、５Ｂとは、取付け枠６ａ、６ｂと取付け片５ａ、５ｂと取付け穴１３とを利用し、それぞれボルト１４とナット１５により着脱自在に組み立てられている。
【００１４】
即ち、左右一対の側面枠２Ａ、２Ｂ間に天面枠３を取付け枠６ａを介して各取付け穴１３にボルト１４をねじ込むことにより、ナット１５で抜けを防止して固定し、また左右一対の側面枠２Ａ、２Ｂ間に一対のベース枠４Ａ、４Ｂを取付け枠６ｂを介して各取付け穴１３にボルト１４をねじ込むことにより、ナット１５で抜けを防止して固定し、更に天面枠３と一対のベース枠４Ａ、４Ｂとにそれぞれ中間柱５Ａ、５Ｂを取付け片５ａ、５ｂを介して各取付け穴１３にボルト１４をねじ込むことにより、ナット１５で抜けを防止して固定する。
【００１５】
上述した実施形態では、既存の住宅でも、床面から天井までの空間に防災装置１を簡単に設置することができ、大きな地震の発生時に家屋の倒壊、家具の転倒、天井崩落等があっても防災装置１を構成する天面枠３、側面枠２Ａ、２Ｂ及び中間柱５Ａ，５Ｂによってこれらを受け止め、防災装置１の中に空間が確保されるため、中にいる居住者を保護することができ、防災装置１の中にベッドや布団等の寝具を入れることができるので、防災装置１の中で安心して就寝することができる。また、天面枠３には金属ネット１２が取り付けられているので、天面枠３から天井の大きな破片が飛び込むのを防止でき、より安全である。
【００１６】
また、周囲が枠体で構成されているため、防災装置１の空間内で室内の安全な方向を見極めてから外へ脱出することができ、しかも、左右の側面板２Ａ、２Ｂ、一対のベース枠４Ａ，４Ｂ、一対の中間柱５Ａ，５Ｂなど、部品が共通化されているため、防止装置１を安価に量産することができる。
【００１７】
また、第２の実施形態を示す図３及び図４に示すように、ベース枠４Ａ、４Ｂの代わりに、前記天面枠３と同一形状の床面枠３Ｂを設け、この床面枠３Ｂを側面枠２Ａ，２Ｂの下側中間部に取付け、床面枠３Ｂにも前記金属ネット１２を取付けることにより、床面枠３Ｂの上にマットや畳を敷いて、更に布団等の寝具を載せる。但し、天面枠３と床面枠３Ｂとを連結する一対の中間柱５Ｃ、５Ｄは、第１の実施形態の中間柱５Ａ、５Ｂより短いものを使用する。
【００１８】
このようにすることにより、この第２の実施形態も第１の実施形態と同様な効果、即ち部品を共用化し、安価に大量生産できるようにしつつ、防災装置１をベッド兼用として使用することもできる。
【００１９】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２０】
【図１】防災装置の一例を示す斜視図である。
【図２】同じく分解斜視図である。
【図３】防災装置の他の一例を示す斜視図である。
【図４】同じく分解斜視図である。
【符号の説明】
【００２１】
１            防災装置
２Ａ、２Ｂ    側面枠
３            天面枠
３Ｂ          床面枠
４Ａ、４Ｂ    ベース枠
５Ａ〜５Ｄ    中間柱
１２          金属ネット
【図１】
2010018944.tif 000003
【図２】
2010018944.tif 000004
【図３】
2010018944.tif 000005
【図４】
2010018944.tif 000006